(57)【要約】【課題】輝度の低下を抑えつつ、色ムラや輝度ムラを低減することを目的とする。【解決手段】表示装置１０は、画像を表示する表示パネル２０と、表示パネル２０を保護する板面状の保護部材１５と、を備え、保護部材１５の一対の板面のうち、表示パネル２０側の板面１６には、屈折率の異なる複数の膜８０Ａ,８０Ｂを有する光透過性の積層膜８０が設けられている。【選択図】図１
2020144362.tif 000002
【特許請求の範囲】
【請求項１】
画像を表示する表示パネルと、
前記表示パネルを保護する板面状の保護部材と、を備え、
前記保護部材の一対の板面のうち、前記表示パネル側の板面には、屈折率の異なる複数の膜を有する光透過性の積層膜が設けられている表示装置。
【請求項２】
前記積層膜は、前記積層膜に入射される光の可視光域における波長を変化させるように膜厚が設定されている請求項１に記載の表示装置。
【請求項３】
前記積層膜は、前記積層膜に入射される光の色度分布に応じた膜厚分布を有する請求項２に記載の表示装置。
【請求項４】
前記積層膜は、前記積層膜に入射される光の可視光域における波長を変化させず、輝度を変化させるように膜厚が設定されている請求項１に記載の表示装置。
【請求項５】
前記積層膜は、前記積層膜に入射される光の輝度分布に応じた膜厚分布を有する請求項４に記載の表示装置。
【請求項６】
前記積層膜は、酸化ケイ素を含む膜と酸化ニオブを含む膜とが交互に積層された構造をなす請求項１から請求項５のいずれか１項に記載の表示装置。
【請求項７】
前記積層膜は、前記保護部材の母材であるガラス基板上に成膜されている請求項１から請求項６のいずれか１項に記載の表示装置。
【請求項８】
前記表示パネルは、画像が表示される表示領域と、画像が表示されない非表示領域と、を有し、
前記積層膜は、前記表示領域に重畳する領域に設けられる一方、
前記非表示領域と重畳する領域には、遮光膜が設けられている請求項１から請求項７のいずれか１項に記載の表示装置。
【請求項９】
前記表示パネルの前記保護部材側の面には、偏光作用を付与する偏光板が設けられており、
前記偏光板と前記保護部材とは、フィルム状の接着部材により接着されている請求項１から請求項８のいずれか１項に記載の表示装置。
【請求項１０】
前記表示パネルは液晶パネルである請求項１から請求項９のいずれか１項に記載の表示装置。
【請求項１１】
前記表示パネルに対して光を照射する照明装置を備える請求項１から請求項１０のいずれか１項に記載の表示装置。
【発明の詳細な説明】
【技術分野】
【０００１】
本発明は、表示装置に関する。
【背景技術】
【０００２】
従来、スマートフォン等の携帯型電子機器に用いられる液晶パネルには、その表示面を覆う形で保護部材（例えばカバーガラス）が配されており、特許文献１にその一例が開示されている。特許文献１に記載の液晶表示装置は、カバーガラスを液晶パネルに対して接着する接着剤に寒色系色素を含有させることで、表示色が暖色系へシフトしたり、色ムラが生じることを抑制するものとなっている。
【先行技術文献】
【特許文献】
【０００３】
【特許文献１】特開２０１４−９５７６３号公報
【発明の概要】
【発明が解決しようとする課題】
【０００４】
しかしながら、特許文献１に記載の液晶表示装置では、寒色系色素により特定の波長域の光が吸収されるため、当該接着剤による輝度低下の影響が大きく、その結果、液晶表示装置の明るさが低減してしまう。また、接着剤は面内にわたって均一に塗布され、その膜厚は小さいものであることから、色ムラの緩和効果は限定的にならざるを得ないのが実情である。
【０００５】
本発明は上記のような実情に基づいて完成されたものであって、輝度の低下を抑えつつ、色ムラや輝度ムラを低減することを目的とする。
【課題を解決するための手段】
【０００６】
（１）本発明の一実施形態は、画像を表示する表示パネルと、前記表示パネルを保護する板面状の保護部材と、を備え、前記保護部材の一対の板面のうち、前記表示パネル側の板面には、屈折率の異なる複数の膜を有する光透過性の積層膜が設けられている表示装置である。
【０００７】
（２）また、本発明のある実施形態は、上記（１）の構成に加えて、前記積層膜は、前記積層膜に入射される光の可視光域における波長を変化させるように膜厚が設定されている表示装置である。
【０００８】
（３）また、本発明のある実施形態は、上記（２）の構成に加えて、前記積層膜は、前記積層膜に入射される光の色度分布に応じた膜厚分布を有する表示装置である。
【０００９】
（４）また、本発明のある実施形態は、上記（１）の構成に加えて、前記積層膜は、前記積層膜に入射される光の可視光域における波長を変化させず、輝度を変化させるように膜厚が設定されている表示装置である。
【００１０】
（５）また、本発明のある実施形態は、上記（４）の構成に加えて、前記積層膜は、前記積層膜に入射される光の輝度分布に応じた膜厚分布を有する表示装置である。
【００１１】
（６）また、本発明のある実施形態は、上記（１）から（５）のいずれかの構成に加えて、前記積層膜は、酸化ケイ素を含む膜と酸化ニオブを含む膜とが交互に積層された構造をなす表示装置である。
【００１２】
（７）また、本発明のある実施形態は、上記（１）から（６）のいずれかの構成に加えて、前記積層膜は、前記保護部材の母材であるガラス基板上に成膜されている表示装置である。
【００１３】
（８）また、本発明のある実施形態は、上記（１）から（７）のいずれかの構成に加えて、前記表示パネルは、画像が表示される表示領域と、画像が表示されない非表示領域と、を有し、前記積層膜は、前記表示領域に重畳する領域に設けられる一方、前記非表示領域と重畳する領域には、遮光膜が設けられている表示装置である。
【００１４】
（９）また、本発明のある実施形態は、上記（１）から（８）のいずれかの構成に加えて、前記表示パネルの前記保護部材側の面には、偏光作用を付与する偏光板が設けられており、前記偏光板と前記保護部材とは、フィルム状の接着部材により接着されている表示装置である。
【００１５】
（１０）また、本発明のある実施形態は、上記（１）から（９）のいずれかの構成に加えて、前記表示パネルは液晶パネルである表示装置である。
【００１６】
（１１）また、本発明のある実施形態は、上記（１）から（１０）のいずれかの構成に加えて、前記表示パネルに対して光を照射する照明装置を備える表示装置である。
【発明の効果】
【００１７】
本発明によれば、輝度の低下を抑えつつ、色ムラや輝度ムラを低減することができる。
【図面の簡単な説明】
【００１８】
【図１】実施形態１に係る液晶表示装置の断面図
【図２】カバーガラスの平面図
【図３】カバーガラスの断面図
【図４Ａ】積層膜に入射される光の色度分布を示す図
【図４Ｂ】カバーガラスにおける積層膜の色調整作用の度合いを示す図
【図４Ｃ】カバーガラスの出射光の色度分布を示す図
【図５】実施形態２に係るカバーガラスの断面図
【図６Ａ】積層膜に入射される光の輝度分布を示す図
【図６Ｂ】カバーガラスにおける積層膜の輝度調整作用の度合いを示す図
【図６Ｃ】カバーガラスの出射光の輝度分布を示す図
【発明を実施するための形態】
【００１９】
＜実施形態１＞
実施形態１を図１から図４Ｃを参照して説明する。本実施形態では、液晶表示装置（表示装置の一例）１０について例示する。なお、各図面の一部には、Ｘ軸、Ｙ軸、及びＺ軸を示しており、各軸方向が各図で共通した方向となるように描かれている。また、＋Ｚ軸方向（液晶パネル２０側）を液晶表示装置１０の表側とし、−Ｚ軸方向（バックライト装置３０側）を裏側とする。
【００２０】
液晶表示装置１０は、図１の断面図に示すように、画像を表示するための液晶パネル（表示パネルの一例）２０と、液晶パネル２０に対して裏側に配されて液晶パネル２０に表示のための光を照射するバックライト装置（照明装置の一例）３０と、を備える。液晶表示装置１０は、平面に視て方形状をなしており、主にスマートフォン等の携帯型電子機器に用いられ、画面サイズは一般的には小型に分類される大きさとされる。
【００２１】
バックライト装置３０は、図１に示すように、ＬＥＤ５２（光源の一例）と、ＬＥＤ５２からの光が入射される板状の導光板６０と、導光板６０からの出射光に所定の光学作用を付与する光学シート３３と、漏れ出た光を導光板６０側に反射させる反射シート７０と、ＬＥＤ５２、導光板６０及び光学シート３３等を取り囲む枠状のフレーム３６と、を備える。ＬＥＤ５２から出射された光は、対向する入光端面６１から導光板６０に入射し、液晶パネル２０側へ導かれる。すなわち、本実施形態に係るバックライト装置３０では、ＬＥＤ５２の光が導光板６０に対して片側から入光される片側入光タイプのエッジライト型（サイドライト型）とされている。
【００２２】
ＬＥＤ５２は、Ｘ軸方向に沿って延在するＬＥＤ基板５１に実装され、複数がＬＥＤ基板５１上に一列に等間隔に並んで配されている。ＬＥＤ基板５１は、絶縁材料製で可撓性を有するフィルム状をなし、図１に示すように、導光板６０と光学シート３３との間に挟み込まれる形で配されている。
【００２３】
導光板６０は、屈折率が空気よりも十分に高くかつほぼ透明な合成樹脂材料からなる。導光板６０は板状をなし、図１に示すように光学シート３３よりも厚みが大きい。導光板６０は、ＬＥＤ５２からＹ軸方向に沿って発せられた光を一方の側面（入光端面）６１から導入するとともに、その光を内部で伝播させつつ光学シート３３側へ向くように立ち上げて表側の板面（出光板面）６３から出射させる。
【００２４】
反射シート７０は、図１に示すように導光板６０の裏面６７側に配されており、合成樹脂製のシート状とされるとともに、その表面が光反射性に優れた白色とされている。反射シート７０は、ＬＥＤ５２及び導光板６０の裏面６７から漏れ出た光を導光板６０側に反射させる。
【００２５】
光学シート３３は、可撓性を有するシート状をなし、図１に示すように液晶パネル２０と導光板６０との間に介在して配されることで、導光板６０からの出射光に所定の光学作用を付与しつつ液晶パネル２０に向けて出射させる。光学シート３３としては、例えば、光を拡散させる拡散シート、光に集光作用を付与するプリズムシート、光を他の波長へと変換する波長変換シート等を用いることができ、これらを積層したものを用いてもよい。
【００２６】
液晶パネル２０は、図１に示すように、一対の基板２１，２２と、両基板２１，２２間の内部空間に挟持されて電界印加に伴って光学特性が変化する物質である液晶分子を含む液晶層２４と、液晶層２４を取り囲む形で両基板２１，２２間に介在することで液晶層２４を封入するシール部２５と、を備えている。一方の基板（アレイ基板）２２には、互いに直交するソース配線とゲート配線とに接続されたスイッチング素子（例えば薄膜トランジスタ）と、そのスイッチング素子に接続された画素電極、さらには配向膜等が設けられ、他方の基板（ＣＦ基板）２１には、Ｒ（赤色）、Ｇ（緑色）、Ｂ（青色）等の各着色部が所定配列で配置されたカラーフィルタや対向電極、さらには配向膜等が設けられている。また、両基板２１，２２の外側には、偏光作用を付与する偏光板２６、２７がそれぞれ配されている。
【００２７】
液晶パネル２０は、平面視で方形状をなし、画面の中央側部分が画像が表示される表示領域（アクティブエリア）ＡＡとされ、表示領域を取り囲む額縁状の周縁部分が、画像が表示されない非表示領域（ノンアクティブエリア）ＮＡＡとされる。アレイ基板２２における非表示領域ＮＡＡには、図１に示すように、表示領域ＡＡに各種信号を供給するための部品としてドライバ（駆動回路部）１３、及び屈曲性のある配線基板であるフレキシブル基板１４が実装されている。
【００２８】
液晶パネル２０及びバックライト装置３０は、図１に示すように、遮光性を有する枠状の固定テープ１０ＦＴによって固定されている。両者が固定された後に、液晶パネル２０の表側にはその全域を覆う形で板状のカバーガラス１５（保護部材の一例）が接着される。カバーガラス１５の母材であるガラス基板１５ＧＳは、機械的強度及び耐衝撃性能が高く、優れた透光性を有する強化ガラス製であって、液晶パネル２０を保護する。カバーガラス１５の裏面と液晶パネル２０（偏光板２６）の表面とは、透明光学粘着フィルム１２（ＯＣＡ（Optical Clear Adhesive）、接着部材の一例）により接着されている。フィルム状部材を用いることで、先行文献１のように接着剤を塗布する場合に比べて、カバーガラス１５と液晶パネル２０との接着工程が容易なものとなる。
【００２９】
カバーガラス１５は、図１及び図２に示すように、ガラス基板１５ＧＳと、その一対の板面のうち液晶パネル２０側の板面１６に設けられ平面に視て方形状をなす光透過性の積層膜８０と、積層膜８０を取り囲むように設けられ額縁状をなす遮光膜９０と、を有する。遮光膜９０はチタン（Ti）等の遮光材料からなり、液晶表示装置１０の外周縁部に配された各種部材（ドライバ１３等）を外部から視認されないようにする。また、遮光膜９０は、液晶パネル２０側から積層膜８０に入射した光が積層膜８０より外側の外周縁部に漏れ出ることを防いでいる。遮光膜９０は非表示領域ＮＡＡと重畳し、積層膜８０は表示領域ＡＡと重畳するように形成されている。換言すると、遮光部９０により液晶パネル２０の表示領域ＡＡと非表示領域ＮＡＡとの境界が画定されている。
【００３０】
積層膜８０は、図３に示すように、異なる屈折率を有する透明な複数の膜８０Ａ,８０Ｂが交互に積層するように形成されている。具体的には、例えば酸化ケイ素（SiOx）を含む第１膜８０Ａと、酸化ニオブ（NbxOy）を含む第２膜８０Ｂとが交互に積層された積層膜として形成されている。このようにすることで、液晶パネル２０側から積層膜８０に入射した光が、屈折率の異なる各界面で屈折されるとともに、その一部は反射されるようになる。その結果、積層膜８０の各層の膜厚と積層数（すなわち積層膜８０の膜厚ｄ８０）を適宜設定すると、積層膜８０に入射された光は、その波長が変化して出射するようになる。なお、波長が変化するとは、光に複数の波長成分が含まれる際には、波長のスペクトル（各波長成分の強度（輝度）分布）の形状が変化することを意味するものとする。これにより、積層膜８０は透過する光の可視光域における波長を変化させることで色度を変化させることができる。すなわち、積層膜８０は色調整作用を付与するものとなっている。
【００３１】
ところで、液晶パネル２０から出射される光（積層膜８０に入射される光）は、面内において色ムラが発生することがある。これは、バックライト装置３０の出射光の色ムラや、液晶パネル２０とバックライト装置３０とを組み立てた際の歪み等に起因して発生する。その一例を図４Ａに示す。図４Ａにおいて、積層膜８０に入射される光は、その色度が表示領域ＡＡの４つの角部近傍Ａ１において異なるものとなっている。すなわち、積層膜８０の色度は面内位置（ｘ,ｙ）に応じて異なっており、色ムラが生じている。色度は、積層膜８０に入射される光の波長λ１に対応しているため、色度分布は波長分布λ１（ｘ,ｙ）に対応するものとなる。仮に積層膜８０が設けられていない場合には、波長分布λ１（ｘ,ｙ）の光はそのままカバーガラス１５を透過して外部に表示されるため、図４Ａで示す色ムラが視認されてしまう。
【００３２】
そこで本実施形態では、液晶パネル２０の出射光の色度分布をあらかじめ測定しておき、それに基づいて積層膜８０の膜厚分布ｄ８０（ｘ,ｙ）を設定している。より詳しくは、例えば、液晶パネル２０とバックライト装置３０とを固定テープ１０ＦＴで固定後、カバーガラス１５が未接着の製造段階で、液晶パネル２０の出射光の表示色を測色計等で測定しておく。次に、その測定情報に基づいて積層膜８０の膜厚分布ｄ８０（ｘ,ｙ）を設定し、当該膜厚分布ｄ８０（ｘ,ｙ）に応じた積層膜８０をカバーガラス１５のガラス基板１５ＧＳ上に成膜する。そして、カバーガラス１５を液晶パネル２０に対して接着する。
【００３３】
積層膜８０の色調整作用の度合いは、積層膜８０の膜厚ｄ８０（少なくとも各層の膜厚または積層数のいずれか一方）の違いによって変化する。このため、積層膜８０の膜厚分布ｄ８０（ｘ,ｙ）を図４Ａの色度分布に基づいて、積層膜８０が図４Ｂに示すような色調整作用を生じるように設定することができる。この色調整作用は、積層膜８０を透過した光の波長λ２が少なくとも可視光域において面内位置（ｘ,ｙ）に依存せず、面内にわたってほぼ一致するようにするものである。これにより、カバーガラス１５からの出射光（すなわち液晶表示装置１０の出射光）の色度は、図４Ｃで示すように面内において均一なものとなり、色ムラが抑えられたものとなる。なお、色ムラのうち、液晶パネル２０とバックライト装置３０とを組み立てた際の歪み等に起因するものは、その組み立て状態により異なって発生する。本実施形態によれば、積層膜８０に入射される光の色度分布をあらかじめ測定し、それに応じて色ムラを抑制できるため、個々の組み立て状態に依存する色ムラも効果的に解決できるようになる。
【００３４】
積層膜８０は、ガラス基板１５ＧＳ上にスパッタリング法や蒸着法等により成膜することで設けられる。面内位置（ｘ,ｙ）に応じて積層膜８０の成膜条件を変更することで、積層膜８０に所望の膜厚分布ｄ８０（ｘ,ｙ）を持たせることができる。例えばスパッタリング法の場合、ガラス基板１５ＧＳの搬送速度を制御したり、スパッタリング装置の印加電圧を制御することで所望の膜厚分布ｄ８０（ｘ,ｙ）を有する積層膜８０を成膜可能となる。面内を複数のブロックに区分けし、ブロック毎に成膜条件を設定しても構わない。
【００３５】
以上説明したように、本実施形態に係る液晶表示装置１０は、画像を表示する液晶パネル２０と、液晶パネル２０を保護する板面状のカバーガラス１５と、を備え、カバーガラス１５の一対の板面のうち、液晶パネル２０側の板面１６には、屈折率の異なる複数の膜８０Ａ,８０Ｂを有する光透過性の積層膜８０が設けられている。
【００３６】
このようにすることで、液晶パネル２０からの出射光は、カバーガラス１５の積層膜８０を透過するようになる。積層膜８０には、屈折率の異なる複数の膜８０Ａ,８０Ｂが含まれており、その膜厚ｄ８０を適宜設定すると、積層膜８０に入射される光の波長を変化させることができるため、透過する光の色度を調整可能となる。積層膜８０は積層された膜８０Ａ,８０Ｂの界面で光を屈折するものであり、特許文献１の接着剤のように吸収作用を生じるものでないため、輝度低下の影響は小さい。また、出射光の色調整手段としては、ＬＥＤ５２の発光色を調整したり、ＣＦ基板２１のカラーフィルタを調整したり、反射シート７０に色調整用のパターンを形成する方法が知られているが、いずれも輝度低下の影響が大きい。反射シート７０にパターンを形成する場合、振動時の摩擦によりパターンから粉塵が発生したり、パターンが劣化しやすいという問題もある。本実施形態に係る液晶表示装置１０によれば、このような問題を生じることなく出射光の色調整が可能となる。
【００３７】
また、積層膜８０は、積層膜８０に入射される光の色度分布（波長分布）に応じた膜厚分布ｄ８０（ｘ,ｙ）を有するものとされる。上記した積層膜８０による色調整作用は、積層膜８０の膜厚ｄ８０（少なくとも各層の膜厚または積層数のいずれか一方）に応じて変化するため、積層膜８０に入射される光が色ムラを有する場合に、積層膜８０が色度分布に応じた膜厚分布ｄ８０（ｘ,ｙ）を有するようにすることで、色ムラを抑制できるものとなる。また色ムラのうち、液晶パネル２０とバックライト装置３０とを組み立てた際の歪み等に起因するものは、その組み立て状態により異なって発生する。本実施形態によれば、あらかじめ積層膜８０に入射される光の色度分布を測定し、それに応じて色ムラを抑制できるため、個々の組み立て状態に依存する色ムラに対しても効果的に作用することができる。
【００３８】
＜実施形態２＞
本発明の実施形態２に係るカバーガラス１１５を図５から図６Ｃを参照して説明する。実施形態２では、積層膜１８０の膜厚ｄ１８０が、積層膜１８０に入射される光の可視光域における波長を変化させず、輝度を変化させるように設定される。なお、上記した実施形態１と同様の構造、作用及び効果について重複する説明は省略する。
【００３９】
積層膜１８０は、図５に示すように、異なる屈折率を有する透明な複数の膜１８０Ａ,１８０Ｂが交互に積層するように形成されている。具体的には、例えば酸化ケイ素（SiOx）を含む第１膜１８０Ａと、酸化ニオブ（NbxOy）を含む第２膜１８０Ｂとが交互に積層された積層膜として形成されている。ここで積層膜１８０の膜厚ｄ１８０（各層の膜厚と積層数）を適宜設定すると、積層膜１８０に入射された光に対して、可視光域における波長（光に複数の波長成分が含まれる際には波長のスペクトルの形状）を変化させずに、輝度のみを調整できるようになる。換言すると、特定の波長域だけでなく、可視光域全域にわたって輝度を一律に調整できるようになる。
【００４０】
積層膜１８０は、積層膜１８０に入射される光の輝度分布に応じた膜厚分布ｄ１８０（ｘ,ｙ）を有するものとされる。積層膜１８０による輝度調整作用は、その膜厚ｄ１８０に応じて変化するため、積層膜１８０に入射される光が輝度ムラを有する場合に、積層膜１８０が輝度分布に応じた膜厚分布ｄ１８０（ｘ,ｙ）を有するようにすることで、輝度ムラを低減できるものとなる。輝度ムラの原因は、バックライト装置３０の出射光の輝度ムラや、液晶パネル２０とバックライト装置３０とを組み立てた際の歪み等であり、例えば図６Ａのように発生する。図６Ａは黒表示の場合に、液晶パネル２０から出射される光（積層膜１８０に入射される光）の輝度分布である。積層膜１８０に入射される光は、図６Ａで示されるように、その輝度がＬＥＤ５２の配設位置Ａ２、及び表示領域ＡＡの２つの角部近傍Ａ１において大きくなっており、白ムラが生じている。すなわち、積層膜１８０の輝度Ｅ１は面内の位置（ｘ,ｙ）に応じて異なっており、輝度ムラが生じている。仮に積層膜１８０が設けられていない場合、輝度分布Ｅ１（ｘ,ｙ）の光はそのままカバーガラス１５を透過して外部に表示されるため、図６Ａに対応した輝度ムラが視認されてしまう。
【００４１】
そこで本実施形態では、液晶パネル２０の出射光の輝度分布をあらかじめ測定しておき、それに基づいて積層膜１８０の膜厚分布ｄ１８０（ｘ,ｙ）を設定している。より詳しくは、例えば、液晶パネル２０とバックライト装置３０とを固定テープ１０ＦＴで固定後、カバーガラス１１５が未接着の製造段階で、液晶パネル２０の出射光の輝度を測定しておく。次に、その測定情報に基づいて輝度ムラを抑えるように積層膜１８０の膜厚分布ｄ１８０（ｘ,ｙ）を設定し、当該膜厚分布ｄ１８０（ｘ,ｙ）に応じた積層膜１８０をカバーガラス１１５のガラス基板１５ＧＳ上に成膜する。そして、カバーガラス１１５を液晶パネル２０に対して接着する。積層膜１８０の成膜方法や成膜条件の変更方法は実施形態１の積層膜８０と同様である。
【００４２】
次に、本実施形態に係る積層膜１８０の作用及び効果について説明する。積層膜１８０の輝度調整作用の度合いは、積層膜１８０の膜厚ｄ１８０（少なくとも各層の膜厚または積層数のいずれか一方）の違いによって変化する。このため、積層膜１８０の膜厚分布ｄ１８０（ｘ,ｙ）を図６Ａの輝度分布に基づいて輝度ムラを抑えるように設定すると、積層膜１８０が図６Ｂに示す輝度調整作用を生じるようになる。これにより、カバーガラス１５からの出射光（すなわち液晶表示装置１０の出射光）の輝度は、図６Ｃで示すように面内において均一なものとなり、輝度ムラが抑えられたものとなる。なお、図６Ｃでは、表示領域ＡＡと非表示領域ＮＡＡとの境界を明示的に示すため白線で図示しているが、実際にはこの境界も黒色表示される。
【００４３】
輝度ムラのうち、液晶パネル２０とバックライト装置３０とを組み立てた際の歪み等に起因するものは、その組み立て状態により異なって発生する。本実施形態によれば、あらかじめ積層膜１８０に入射される光の輝度分布を測定し、それに応じて輝度ムラを抑制できるため、個々の組み立て状態に依存する輝度ムラも効果的に解決できる。さらに、積層膜１８０の入射光の輝度分布Ｅ１（ｘ,ｙ）において最小輝度がＥ１minであるとき、出射光の輝度分布Ｅ２（ｘ,ｙ）が面内にわたって一律にＥ１minとなるように輝度調整すると、輝度ムラを抑えつつ、最小輝度Ｅ１minより暗くならないようにすることができる。このようにすれば、輝度低下の影響を最小に抑えることができる。
【００４４】
＜他の実施形態＞
本発明は上記記述及び図面によって説明した実施形態に限定されるものではなく、例えば次のような実施形態も本発明の技術的範囲に含まれる。
【００４５】
（１）上記各実施形態では、積層膜として第１膜と第２膜の２種類の膜が交互に積層された例を示したが、３種類以上の膜が交互に繰り返し積層されていても構わない。
【００４６】
（２）上記各実施形態では、カバーガラスの平面サイズが液晶パネルより大きい例を示したが、液晶パネル以下の大きさであっても構わない。その場合等には、カバーガラスには遮光膜が設けられず、板面全体に積層膜が設けられていても構わない。
【００４７】
（３）上記各実施形態では、ガラス基板上において積層膜を取り囲む額縁部に遮光膜が設けられている例を示したが、額縁部の黒色をより濃く表示するための反射膜等が遮光膜に積層されていても構わない。
【００４８】
（４）上記各実施形態では、カバーガラスと偏光板とを接着するＯＣＡが方形状である例を示したが、ＯＣＡはそれぞれの外周縁部同士を接続するように枠状に形成されていても構わない。
【００４９】
（５）上記した実施形態では、バックライト装置として、片側入光タイプのエッジライト型の例を示したが、直下型や両側入光タイプのエッジライト型でも構わない。
【００５０】
（６）上記した実施形態では、液晶パネルが方形状とされる例を示したが、非方形状であっても構わない。
【００５１】
（７）上記した実施形態では、液晶パネルの画面サイズは、小型とされる例を示したが、中型から大型の液晶パネルにも適用可能である。
【００５２】
（８）上記した実施形態では、保護部材はカバーガラスとする例を示したが、透明樹脂製の保護板であっても構わない。
【００５３】
（９）上記した実施形態では、ＬＥＤ基板は導光板と光学シートの間に挟み込む形で配されているが、枠状に配されているフレームに貼付される形等でも構わない。
【００５４】
（１０）上記した実施形態では、反射シートは白色である例を示したが、銀色等であっても構わない
【００５５】
（１１）上記した実施形態では、遮光膜はチタン等の遮光材料からなる例を示したが、黒色インク等でも構わない。
【符号の説明】
【００５６】
１０…液晶表示装置（表示装置）、１２…ＯＣＡ（接着部材）、１５,１１５…カバーガラス（保護部材）、１５ＧＳ…ガラス基板、２０…液晶パネル（表示パネル）、２６…偏光板、３０…バックライト装置（照明装置）、８０,１８０…積層膜、８０Ａ,１８０Ａ…第１膜（膜）、８０Ｂ,１８０Ｂ…第２膜（膜）、９０…遮光膜、ＡＡ…表示領域、ｄ８０,ｄ１８０…膜厚、ＮＡＡ…非表示領域
【図１】
2020144362.tif 000003
【図２】
2020144362.tif 000004
【図３】
2020144362.tif 000005
【図４Ａ】
2020144362.tif 000006
【図４Ｂ】
2020144362.tif 000007
【図４Ｃ】
2020144362.tif 000008
【図５】
2020144362.tif 000009
【図６Ａ】
2020144362.tif 000010
【図６Ｂ】
2020144362.tif 000011
【図６Ｃ】
2020144362.tif 000012